(57)【要約】【課題】  本発明に係る調理用カッターは、比較的簡単な構造と作用から成るとともに対象野菜の調理法に合わせて選択使用が可能となる器具を提供することを目的とする。【解決手段】  任意の包囲形状に成る器体１が円形開口部とこの円形開口部の中心部の通口３に向って勾配面を形成した傾斜部４から成り、前記円形開口部の外側面部が凹凸面５に成り、前記器体の傾斜部一部に中心の通口に向って上辺部と下辺部との段差を形成して設けた斜孔の上辺部には平刃９片を設けるとともに下辺部には刃形の異なる切刃片１１（１２）を設けて成る器体を、複数個組み合わせて用意するようにするものである。【選択図】    図１
2014087885.tif 000002
【特許請求の範囲】
【請求項１】
任意の包囲形状に成る器体が円形開口部とこの円形開口部の中心部の通口に向って勾配面を形成した傾斜部から成り、前記円形開口部の外側部が凹凸面に成り、前記器体の傾斜部一部に中心の通口に向って上辺部と下辺部との段差を形成して設けた斜孔の上辺部には平刃片を設けるとともに下辺部には刃形の異なる切刃片を設けて成る器体を、複数個組み合わせて用意することを特徴とする調理用カッター。
【請求項２】
任意の包囲形状に成る器体が円形開口部とこの円形開口部の中心部の通口に向って勾配面を形成した傾斜部から成り、前記円形開口部の外側部が凹凸面に成り、前記器体傾斜部の一部に中心の通口に向って上辺部と下辺部との段差を形成して設けた斜孔の上辺部には平刃片を設けるとともに下辺部には何にも設けないで成る器体を、下辺部に刃形の異なる切刃片を設けて成る器体とを複数個組み合わせて用意することを特徴とする調理用カッター。
【請求項３】
器体の傾斜部一部に中心の通口に向って設けた斜孔の下辺部において、刃形の異なる切刃片を取換えし得るようにすることを特徴とする請求項１に記載した調理用カッター。
【発明の詳細な説明】
【技術分野】
【０００１】
本発明は、大根その他地中育成の野菜類の調理用カッターに関するものである。
【背景技術】
【０００２】
大根等の野菜については、それを包丁によって薄厚状に裁断する調理法のほか、細切りの場合には極細切り、中細巾切り、広巾切りなど種々の調理に使用するためのカッターとしては、次に挙げるものが文献公知となっている。
【先行技術文献】
【特許文献】
【０００３】
【特許文献１】実公平６−３９９１５号公報
【特許文献２】特開平１０−２３４５９１号公報
【特許文献３】特開２０１０−１８８０９１号公報
【特許文献４】特許第４２４２１４４号公報
【０００４】
しかしながら、これらの調理器具は調理目的に合わせて変更使用ができるようなものではなかった。
【発明の概要】
【発明が解決しようとする課題】
【０００５】
そこで、本発明に係る調理用カッターは、比較的簡単な構造と作用から成るとともに対象野菜の調理法に合わせて選択使用が可能となる器具を提供することを目的とするものである。
【課題を解決するための手段】
【０００６】
本発明は、任意の包囲形状に成る器体が円形開口部とこの円形開口部の中心部の通口に向って勾配面を形成した傾斜部から成り、前記円形開口部の外側面部は凹凸面に成り、前記器体の傾斜部一部には中心の通口に向って上辺部と下辺部との段差を形成して設けた斜孔の上辺部には平刃片を設けるとともに下辺部には刃形の異なる切刃片を設けて成る器体を、複数個組み合わせて用意するようにするものである。
【０００７】
また本発明は、任意の包囲形状に成る器体が円形開口部とこの円形開口部の中心部の通口に向って勾配面を形成した傾斜部から成り、前記円形開口部の外側部が凹凸面に成り、前記器体傾斜部の一部に中心の通口に向って上辺部と下辺部との段差を形成して設けた斜孔の上辺部には平刃片を設けるとともに下辺部には何にも設けないで成る器体を、下辺部に刃形の異なる切刃片を設けて成る器体とを複数個組み合わせて用意する。
【０００８】
また、器体の傾斜部一部に中心の通口に向って設けた斜孔の下辺部において、刃形の異なる切刃片を取換えし得るようにするものである。
【発明の効果】
【０００９】
使用者は、斜孔の下辺部の切刃片を選んで、きわめて簡単な操作によって各種野菜の調理用途に合わせた切削を確実に行うことができるようになる。
【００１０】
また、用途の違いに合わせて使用できる切刃片を有する器具を複数個用意しておくだけで、調理能率が上がるようになる。
【図面の簡単な説明】
【００１１】
【図１】一実施例の正斜視図
【図２】図１の平面図
【図３】図１の底面図
【図４】図１Ａ−Ａ線の断面図
【図５】図１Ｂ−Ｂ線の断面図
【図６】図１の側面図
【図７】図６のＣ−Ｃ線断面図
【図８】他実施例の正斜視図
【図９】（Ａ）（Ｂ）（Ｃ）は斜孔の下辺部における切刃片の有無と相異を示した斜視図
【発明を実施するための形態】
【００１２】
本カッターを使用するときは、切削する野菜の種類や使用目的に合わせて、切り刃の形態の異なるカッターを選んで使用する。例えば大根の場合にあっては、刺身のつまに使うための極細切りに合う切刃片が斜孔の下辺部に有する器体を使用する（図９Ｃ）。また、中巾切りでよい場合には、それに合う切刃片が斜孔の下辺部に有する器体を使用する（図９Ｂ）。さらに、広巾切りの場合には、斜孔の下辺部に切刃片がない器体を使用する（図９Ａ）。
【００１３】
したがって、使用者は、家庭用でも業務用でも、器体の傾斜部一部に設けた斜孔の下辺部に、切り刃巾の異なるカッター製品を必要種類用意しておくことになる。
【００１４】
なお、器体傾斜部の斜孔部において、当該切り刃を設置するカッターの所定部分を取換え可能な構造にすれば、器具自体は１個用意すればよく、換え刃部材を複数個用意することになる。
【実施例】
【００１５】
１は全体が任意の包囲形状から成る器体で、この器体は円形開口部２とこの円形開口部の中心部の通口３に向って任意角度の勾配面を形成した傾斜部４とから成る。即ち、この部分は、器体１の円形開口部２の中心部の通口３に向って勾配面を有する傾斜部４は円錐形状に成るものである。
【００１６】
５は前記器体１の円形開口部２の外側部に形成した凹凸面部で、この凹部には器体を把持するための手指が係止するようになる。
【００１７】
６は前記器体１の円錐形状の傾斜部４の一部に、中心の通口３に向って直線状に穿設した斜孔で、この斜孔には上辺部７と下辺部８とが段差をもって対応し、それぞれに別種の刃体を下記のように設置する。この刃体については、図９（Ａ）（Ｂ）（Ｃ）において三種類を例示している。
【００１８】
図９（Ａ）（Ｂ）（Ｃ）における例示は、器体傾斜部４の斜孔６において上段刃を構成するのはいずれも平刃９，９，９であり、これは平刃状の切刃片に成る。
【００１９】
これに対し、斜孔６において下段刃を構成するものは、（Ａ）図では切刃片はなく、（Ｂ）図では広巾立刃１１、（Ｃ）図では細巾立刃１２であり、これによって切削される野菜（例えば大根）の切り巾は、大中小の違いとなって表われることになる。
【００２０】
本発明にあっては、斜孔６の下辺部８に設置する下段刃の構成は図９（Ａ）を除き図９（Ｂ）（Ｃ）では立刃巾の別異のものをそれぞれ固定した器体を用意しておくが、当該部分の構造を改良することによって、斜孔の下辺部８に取付ける下段刃を別異の切刃片に取替えられる着脱式のものにすることもできる。
【００２１】
１３は前記器体１の外側一部に設けた広巾切刃であり、これは従来から存する皮むき具の構成と同じである。
【符号の説明】
【００２２】
１                            器体
２                            円形開口部
３                            通口
４                            傾斜部
５                            凹凸面部
６                            斜孔
７                            上辺部
８                            下辺部
９，９，９                    平刃
１１                          広巾立刃
１２                          細巾立刃
１３                          広巾切刃
【図１】
2014087885.tif 000003
【図２】
2014087885.tif 000004
【図３】
2014087885.tif 000005
【図４】
2014087885.tif 000006
【図５】
2014087885.tif 000007
【図６】
2014087885.tif 000008
【図７】
2014087885.tif 000009
【図８】
2014087885.tif 000010
【図９】
2014087885.tif 000011